(57)【要約】      （修正有）【課題】手動で草を刈り取り、集める熊手の提供。【解決手段】熊手１の先を地面につけた時の接地面の上にバリカン歯６を設ける、引き棒にすべり止めの凸凹を設けた熊手の両側にローラ食込み歯２を付けた前後に動く回転ローラ３を設け、熊手を引く時に回る回転ローラの回転で回転伝達軸５を回し、中間に設けた回転縦歯車４から回転横歯車８を回し、回転変換板９を左右に動かす、回転変換板が左右に動くことでバリカン上歯も左右に動いて草を刈る事が出来る、また回転ローラは前後に動くため、引いて草を刈り、押す時に草のあるところへ引き棒で向きを変えながら押して、引いて草を刈る。熊手のみを使用するときは、取り外しボルトをゆるめることで、刈り取り部と熊手を取り付け、取り外しできる手動草刈熊手。【選択図】図１
2014039528.tif 000002
【特許請求の範囲】
【請求項１】
熊手の接地面より上にバリカン歯を設け、引き棒にすべり止めの凹、凸を設けた熊手の両側に、前後に動くローラ食込み歯を設けた回転ローラを設け、両側の回転ローラを繋いだ回転伝達軸の中間に回転縦歯車を設け、手で引き棒を手前に引いて回転ローラを回転させ、その回転で回転伝達軸を回転させて、接続している回転縦歯車と回転横歯車を回して、回転横歯車の中心より離して取り付けた自在ボルトで連結している回転変換板を左右に動かし、自在ボルトで連結しているバリカン上歯を左右に動かして草を刈ることができ、熊手のみ使用するときは、熊手取り外しボルトをゆるませることにより、熊手と刈り取り部の下に熊手を設けた刈り取り部を取り付け、取り外し出来ることを特徴とする、
手動草刈熊手。
【請求項２】
軽い力でバリカン上歯を左右に動かすことが出来るように、バリカンベアリンを設けた請求項１の手動草刈り熊手。
【請求項３】
熊手取り外しボルトをゆるませることにより、刈り取り部分と熊手を取り付け、取り外することが出来る、請求項１の手動草刈り熊手。
【発明の詳細な説明】
【技術分野】
【０００１】本発明は、手動で草を刈り取り、集める熊手に関するものである。
【背景技術】
【０００２】従来、熊手は回転歯、バリカン歯、などの動力草刈り機で刈り取った草を、又落ち葉や落ちているものを集めるのに使用している
なお、機械式の熊手が知られている（特許文件１参照）。
【先行技術文献】
【特許文献】
【０００３】
【特許文献１】特開平０７−１９４２２３号公報
【発明の概要】
【発明が解決しようとする課題】
【０００４】草が伸び始めると、草刈りをする、又わずかな期間で草が伸びてくる、その草刈り作業の多くが女性と高齢者に委ねられている、草刈機の始動時、又は故障等は女性や高齢者には大変である、
しかも草刈り機はエンジン、モーター、燃料等が付いている為に重く、女性、高齢者の仕事には重働労であった、  また、草刈機のモーターやエンジンの振動で若者でも腱鞘炎にかかっている人は数知れないのである、
本発明は以上の問題点を解決するためになされたものである。
【課題を解決するための手段】
【０００５】  熊手の接地面から上に、バリカン歯を設け、引き棒にすべり止めの凹凸を付けた熊手の両側に設けた前後に動く回転ローラを手前に引いて回転させる、両側の回転ローラを繋いだ回転伝達軸の中間に、回転縦歯車を設け、回転縦歯車の縦の回転を、接続している回転横歯車に伝え、回転横歯車の中心より離して取り付けた自在ボルトで連結している回転変換板を、左右に動かして、回転変換板と自在ボルトで連結しているバリカン上歯を左右に動かす、熊手を手前に引く事により回転ローラが回り、バリカン上歯が左右に動き草が刈れる、バリカンベアリングが入っているため、手動の回転でも軽い力でバリカン上歯を左右に動かすことができる、熊手のみ使用するときは熊手取り外しボルトをゆるませることにより、熊手と刈り取り部の下に集草の熊手を取り付けた刈り取り部分が、取り付け、取り外しすることが出来る、また回転ローラの大きさを変えることで、大きくすれば長い草、小さくすれば芝も刈れる、
以上を特徴とする手動草刈り熊手。
【発明の効果】
【０００６】従来、動力をもちいた草刈機で刈った後の刈り残しや騒音を出すことが出来ない場所での草刈り、法面の急な足場が悪い場所での草刈り、集草が手動で軽量であるため、女性やお年寄りでも作業が出来る、また振動がないため腱鞘炎になる心配がないものである。
【図面の簡単な説明】
【０００７】
【図１】  本発明の内側の斜視図
【図２】  本発明の分解断面図
【図３】  本発明の回転伝達断面図
【図４】  本発明の回転伝達断面図
【図５】  本発明の回転変換板とバリカン上歯の位置移動の平面図
【図６】  本発明の回転変換板とバリカン上歯の位置移動の平面図
【図７】  本発明の回転変換板とバリカン上歯の位置移動の平面図
【図８】  本発明の回転変換板とバリカン上歯の位置移動の平面図
【図９】  本発明の外部よりの斜視図
【図１０】  本発明のバリカンベアリングの設置斜視図
【図１１】  本発明のバリカンベアリングの設置断面図
【図１２】  本発明の使用状態を示す斜視図
【発明を実施するための形態】
【０００８】以下、本発明の実施の形態を説明する。
（イ）熊手（１）の両側にローラ食込み歯（２）をつけた前後に動く回転ローラ（３）を設ける。
（ロ）両側の回転ローラ（３）を回転伝達軸（５）で連結し、中間に回転縦歯車（４）を設ける。
（ハ）縦に回る回転縦歯車（４）の回転を横に回したいため、回転横歯車（８）を設ける。
（二）回転横歯車（８）の中心より外れた所に自在ボルト（１１）を設ける。
（ホ）自在ボルト（１１）を回転変換板（９）に取り付けて回転変換板（９）とバリカン上歯（１５）も自在ボルト（１１）を取り付ける。
（ヘ）以上で回転ローラ（３）の回転がバリカン上歯（１５）を左右に動かすことができるものである。
（ト）熊手取り外しボルト（１４）をゆるめることで、刈り取り部と熊手（１）を取り付け、取り外することができる。
本発明は以上のような構造よりなっている。
本発明を使用するときは、
すべり止め（１８）を設けた引き棒（１７）に連結した熊手（１）の両側の回転ロー    ラ（３）は引き棒（１７）を引くと回転する、その回転を回転伝達軸（５）から回転    縦歯車（４）に伝わり回転横歯車（８）を回す、回転横歯車（８）の回転から自在ボ    ルト（１１）により、回転変換板（９）が左右に動く、回転変換板（９）とバリカン    上歯（１５）が自在ボルト（１１）で連結しているためバリカン上歯（１５）が左右    に動き草を刈ることができる、熊手（１）のみ使用するときは、熊手取り外しボルト    （１４）をゆるませることにより刈り取り部と熊手（１）が取り付け、取り外しする    ことができる。
【符号の説明】
【０００９】  １  熊手                              １１  自在ボルト
２  ローラ食込み歯                    １２  回転横歯車取り付け台
３  回転ローラ                        １３  バリカン上歯ガイド
４  回転縦歯車                        １４  熊手取り外しボルト
５  回転伝達軸                        １５  バリカン上歯
６  バリカン歯                        １６  バリカン下歯
７  バリカンベアリング                １７  引き棒
８  回転横歯車                        １８  すべり止め
９  回転変換板
１０  安全カバー
【図１】
2014039528.tif 000003
【図２】
2014039528.tif 000004
【図３】
2014039528.tif 000005
【図４】
2014039528.tif 000006
【図５】
2014039528.tif 000007
【図６】
2014039528.tif 000008
【図７】
2014039528.tif 000009
【図８】
2014039528.tif 000010
【図９】
2014039528.tif 000011
【図１０】
2014039528.tif 000012
【図１１】
2014039528.tif 000013
【図１２】
2014039528.tif 000014